(57)【要約】【課題】  ソフトボールのバッティング練習の際にピッチャーを保護する為に使用する投手用防御ネットであって、手軽に運搬が出来ると共に、背丈の違う人であっても共用可能なソフトボール用の投手用防御ネットの提供。【解決手段】  枠体１の下端には転倒を防止する為の脚２，２を取付け、又、上記枠体１の両縦桟５，５に跨って中桟６を取付けておる。中桟全体は水平でなく傾斜部９を形成し、そして該中桟６から上側には上部ネット１０を取付け、枠体１の下側には下部ネット１２を取付け、中桟６と下部ネット１２の間には位置によって高さＨの違う開口１１を形成している。【選択図】    図１
2005270540.tif 000002
【特許請求の範囲】
【請求項１】
ソフトボールのバッティング練習の際にピッチャーを保護する為に使用する投手用防御ネットにおいて、枠体の下端には転倒を防止する為の脚を取付け、又、上記枠体の両縦桟に跨って中桟を取付け、中桟全体は水平でなく傾斜部を形成し、そして該中桟から上側には上部ネットを取付け、枠体の下側には下部ネットを取付け、中桟と下部ネットの上縁間には位置によって高さの違う開口を形成したことを特徴とするソフトボールの投手用防御ネット。
【請求項２】
上記枠体は上桟と下桟、及び両縦桟、さらに中桟を枠組みして構成した請求項１記載のソフトボールの投手用防御ネット。
【請求項３】
上記中桟を、下部水平部、傾斜部、及び上部水平部を連続して形成した請求項１、又は請求項２記載のソフトボールの投手用防御ネット。
【発明の詳細な説明】
【技術分野】
【０００１】
本発明はソフトボールのバッティング練習の際に、打ったボールがピッチャーに当たらないようにする投手用防御ネットに関するものである。
【背景技術】
【０００２】
野球であってもソフトボールの場合であってもバッティング練習が行われ、マウンドから投げるピッチャーの球を繰り返し打ち返すことで、バッティングの感覚を養うことが出来る。これは、同時にピッチィング練習にもなる訳で、各球種を確かめると共に、コントロールを養うことが出来る。勿論、一般的なピッティング練習はキャッチャーに向かって球を投げるのみで、バッターが該球を打ち返すことは少ない。
【０００３】
ところで、バッティング練習に際しては、打ち返された球に当たらないようにしなくてはならず、野球では従来から投手用防御ネットと称される器具が用いられている。該投手用防御ネットの形態も色々あるが、一般的には丈夫なネットが枠体に取付けて構成されている。そして、該枠体には脚が設けられて転倒しないように起立している。
【０００４】
ピッチャーはネットに身を隠して球を投げる為に、バッターが打ち返した球に直接当たらないようになる。野球の場合には、ピッチャーマウンドからバッターまでが１８ｍあるのに対してソフトボールの場合には短くて、男子が１４ｍ、女子が１３ｍ、そして高校女子の場合であれば１２ｍの距離と成っている。
【０００５】
このように、ソフトボールではピッチャーとバッター間の距離が短い為に、上記投手用防御ネットが特に大切であり、打ち返された速い打球を避けることが出来ない。それに、ソフトボールの球は重くて大きく、速い打球に直接当たるならば大怪我をしてしまう。打撲に止まらず、骨折することも多く、目に直接当たるならば失明する可能性も高い。
【０００６】
従って、野球の場合に限らずソフトボールの場合にも投手用防御ネットが必要である。しかし、従来の野球の投手用防御ネットは搬送が不便であり、トラックなどの荷物専用車輌に搭載しなくてはならない。すなわち、大きくて一体型であり、搬送に際して小さく分解することが不可能である。
【０００７】
一方、ソフトボールは背の高い成人男性から背が低い中学女子まで色々な層の人が行う為に、背丈の高い成人男性用の投手用防御ネットを使用して背丈の低い女性がバッティング練習用として用いたのでは、打ち返された打球が顔に当って大怪我をする危険がある。しかし、夫々の背丈に合わせた投手用防御ネットを製作するのではコストが高くなってしまう。
【発明の開示】
【発明が解決しようとする課題】
【０００８】
このように、従来の投手用防御ネットには上記のごとき問題がある。本発明が解決しようとする課題はこれら問題点であり、練習場へ簡単に搬送することが出来ると共に、背丈が違っても共用することが可能なソフトボールの投手用防御ネットを提供する。
【課題を解決するための手段】
【０００９】
本発明に係る投手用防御ネットはソフトボールのバッティング練習を主目的としたものであるが、野球のバッティング練習用として用いることは可能である。そこで、該投手用防御ネットは四角形等の枠体に丈夫なネットを取付けたものであり、上記枠体の下端には脚が備わっていて転倒しないように起立する。しかし、該ネットは枠体全面ではなく一部はボールを投げる為の開口を有している。
【００１０】
枠体には中桟が設けられ、該中桟で仕切られた上側は全面がネットで塞がれ、又枠体の下桟から所定の高さまでは別のネットが取付けられている。すなわち、上部ネットと下部ネットに分離さ、上部ネットと下部ネットの間は開口している。しかし、上記中桟は水平ではなくて傾斜している。勿論、水平部も有しているが、中桟全体は水平でなく、その為に、開口の高さは位置によって異なる。
【００１１】
下部ネットの上縁は水平に取付けられていることから、下部ネットの上縁と上部ネットとの距離は異なることで、背丈に応じて適当な位置で使うことが可能と成る。従って、背丈の低い人では距離間隔の小さな箇所を利用し、逆に背丈の高い人であれば距離間隔の大きな箇所を利用して練習する。
【００１２】
そして、ネットが取付けられるフレームは、両縦桟、上桟、下桟、及び中桟で構成した枠体と、転倒防止として備わっている脚から成っている。枠体及び脚は上記各桟を組み合わせて構成される為に、搬送時には個々の桟に分解して行われ、練習現場にて手軽に組立てられる。ネットの取付け手段は特に限定しないことにするが、一般的には紐での締結又は粘着テープが適している。
【発明の効果】
【００１３】
このように、本発明の投手用防御ネットは枠体に中桟を設け、該中桟は水平でなく少なくとも一部は傾斜している。その為に、該中桟を仕切りとして上側に取付けられる上部ネットの下縁と下部ネット間距離は変化し、開口の高さが場所によって違ってくる。従って、背丈の高い人であっても、背丈の低い人であっても使用することが出来、汎用性のある投手用防御ネットとなる。そして該投手用防御ネットは両縦桟及び上桟、下桟、さらに中桟が分解される構造である為に、練習現場への搬送は便利である。
【実施例】
【００１４】
図１は本発明に係る投手用防御ネットを示す実施例であり、同図の１は枠体、２は脚を表している。枠体１と両脚２，２とでフレームを構成している。枠体１は長方形を成し、上桟３、下桟４、及び両縦桟５，５が枠組みされ、そして両縦桟５，５には中桟６が跨って取付けられている。該中桟６は上下桟３，４と平行ではなく、傾斜している。
【００１５】
すなわち、中桟６は下水平部７と上水平部８及び傾斜部９を有し、これら下水平部７、傾斜部９、及び上水平部８は連続している。枠体１は上記中桟６にて仕切られ、中桟６を境として上側には上部ネット１０が張設され、中桟６との間に開口１１を設けて下部ネット１２が張設して取付けられている。
【００１６】
上部ネット１０は上桟３と両縦桟５，５、及び中桟６にて囲まれた形状を成し、上縁は上桟３に粘着テープで固定され、両側縁は縦桟５，５に粘着テープを介して固定され、同じく下縁は中桟６に粘着テープで固定されている。一方の下部ネット１２はその上縁両端から延びる紐にて縦桟５，５に締結され、下縁は下桟に粘着テープで固定され、両側縁は縦桟に粘着テープで固定されている。勿論、上部ネット１０及び下部ネット１２の取付け方法は限定するものではない。
【００１７】
ここで、下部ネット１２の上縁１３は水平に張設する為に、両端に設けている紐にて縦桟５，５に締結されることから、その高さ(下桟４からの距離)は自由に変更できる。すなわち、背丈に応じて下部ネット１２の上縁１３の高さは調整可能である。そして、中桟６は水平でなく、下部水平部７と傾斜部９及び上水平部８から成っている為に、下部ネット１２の上縁１３からの高さＨは場所によって違っている。
【００１８】
下部水平部７の領域では上部ネット１０と下部ネット１２間距離Ｈａは小さく、上水平部８の領域では上部ネット１０と下部ネット１２間距離Ｈｂは大きく成っている。又傾斜部９の領域では上部ネット１０と下部ネット１２間距離Ｈｃは変化している。すなわち、各領域では開口１１の高さが違っていて、背丈の高さに応じてその領域を使い分けることが可能である。
【００１９】
すなわち、開口１１の低い下部水平部７の領域では背丈の低い女性が使用し、開口１１の高い上水平部８の領域では背丈の高い男性が使うことが出来る。傾斜部９の領域を利用する人はその中間背丈の人である。ここで、上桟３と縦桟５との連結構造、及び下桟４と縦桟５との連結構造は色々あり、本発明では限定しない。
【００２０】
図２は図１のＡ部断面拡大図であって上桟３と縦桟５との連結構造を示し、上桟３の両側は下方に屈曲すると共に内パイプ１４を下方へ突出し、該内パイプ１４は縦桟５に嵌入して連結している。そして、抜けないようにネジ１５が締められている。図３は図１のＢ部断面拡大図であって縦桟５と中桟６との連結構造を示し、中桟６の両端には連結パイプ１６が垂直方向に固定されている。そして、この連結パイプ１６には上縦桟５ａから下方へ突出している内パイプ１４ａが嵌入し、同じく下縦桟５ｂから上方へ突出している内パイプ１４ｂが嵌入している。
【００２１】
このように、上縦桟５ａと下縦桟５ｂは連結パイプ１６を介して連結されて１本の縦桟５を構成し、同時に中桟６が該縦桟５と連結して取付けられる。そして、連結パイプ１６に嵌入した内パイプ１４ａ，１４ｂが外れないようにネジ止めされている。
【００２２】
図４は図１のＣ部断面拡大図であり、縦桟５と下桟４との連結構造を示している。縦桟５の下端には内パイプ１４を水平方向へ突出し、該内パイプ１４は下桟４の穴に嵌入している。そして、縦桟５の下端には連結プレート１７ａが固定され、同じく脚２の中央にも連結プレート１７ｂが固定されている。縦桟５を起立した状態で脚２の連結プレート１７ｂに縦桟５の連結プレート１７ａを突き合わせてネジ止めしている。すなわち、連結プレート１７ａ，１７ｂを介して縦桟５は脚２と連結している。
【００２３】
脚２の両側には安定板１８，１８が取着されている為に、両連結プレート１７ａ，１７ｂが互いに連結されることで縦桟５は転倒することなく垂直に起立することが出来る。さらに縦桟５と脚２とを連結する支え１９が傾斜して取付けられている。
【００２４】
図５は枠体１に上部メッシュ１０と下部メッシュ１２を取付けた他の実施例であり、枠体１に取付けられる中桟６の形態を異にしている。すなわち、該中桟６は左側縦桟５から傾斜して立ち上がる傾斜部９を有し、途中から水平を成した上水平部８を設けている。そこで、傾斜部９の領域は背丈の低い人が適当な位置を利用し、上水平部８の領域は背丈の高い人が利用する。この他にも中桟６の形態は色々あり、全体が緩やかに傾斜する傾斜部９のみで構成することも可能である。
【００２５】
図１、図５は投手用防御ネットであるが、長方形をした別のネットを枠体１に取付けることでバッティングマシン用の防御ネットとして使用することも可能である。すなわち、開口１１の一部を除いて別のネットで塞ぐことが出来る。
【図面の簡単な説明】
【００２６】
【図１】本発明に係るソフトボール用投手用防御ネットを示す実施例。
【図２】図１におけるＡ部断面拡大図。
【図３】図１におけるＢ部断面拡大図。
【図４】図１におけるＣ部断面拡大図。
【図５】枠体を示す他の具体例。
【符号の説明】
【００２７】
１  枠体
２  脚
３  上桟
４  下桟
５  縦桟
６  中桟
７  下水平部
８  上水平部
９  傾斜部
10  上部ネット
11  開口
12  下部ネット
13  上縁
14  内パイプ
15  ネジ
16  連結パイプ
17  連結プレート
18  安定板
19  支え
【図１】
2005270540.tif 000003
【図２】
2005270540.tif 000004
【図３】
2005270540.tif 000005
【図４】
2005270540.tif 000006
【図５】
2005270540.tif 000007